(57)【要約】  二次元データを変換し、三次元映像を再生するのに使われる第１視点映像データ及び第２視点映像データを生成し、二次元データを変換して生成された第２視点映像データと第１視点映像データとの関係を示す付加情報を、第１視点映像データ及び第２視点映像データのうち少なくとも一つに付加した後、第１視点映像データ及び第２視点映像データを出力する映像データ出力方法である。
2011525743.tif 000002
【特許請求の範囲】
【請求項１】
二次元データを変換し、三次元映像を再生するのに使われる第１視点映像データ及び第２視点映像データを生成する段階と、
前記第２視点映像データと前記第１視点映像データとの関係を示す付加情報を生成する段階と、
前記第１視点映像データ、前記第２視点映像データ及び前記付加情報を出力する段階と、を含むことを特徴とする映像データ出力方法。
【請求項２】
前記付加情報は、
前記第１視点映像データと前記第２視点映像データとが、同じ二次元データを変換して生成された１対の映像データであることを示す対情報を含むことを特徴とする請求項１に記載の映像データ出力方法。
【請求項３】
前記第１視点映像データは、左視点映像データであり、
前記第２視点映像データは、右視点映像データであることを特徴とする請求項１に記載の映像データ出力方法。
【請求項４】
前記付加情報は、
前記第１視点映像データ及び前記第２視点映像データが、左視点映像データであるか、あるいは右視点映像データであるかを示す視点情報を含むことを特徴とする請求項３に記載の映像データ出力方法。
【請求項５】
前記付加情報を生成する段階は、
前記付加情報を生成する段階と、
前記生成された付加情報を、前記第１視点映像データ及び／または前記第２視点映像データに付加する段階を含むことを特徴とする請求項１に記載の映像データ出力方法。
【請求項６】
前記付加情報を生成する段階は、
前記第１視点映像データ及び／または前記第２視点映像データのビット列として、前記付加情報を生成する段階を含むことを特徴とする請求項１に記載の映像データ出力方法。
【請求項７】
同じ二次元データを変換して生成され、三次元映像を再生するのに使われる第１視点映像データ及び第２視点映像データを受信する段階と、
前記第２視点映像データと前記第１視点映像データとの関係を示す付加情報を受信する段階と、
前記付加情報に基づいて、前記第１視点映像データ及び前記第２視点映像データをディスプレイする段階と、を含むことを特徴とする映像データ・ディスプレイ方法。
【請求項８】
前記付加情報は、
前記第１視点映像データと前記第２視点映像データとが、前記同じ二次元データを変換して生成された１対の映像データであることを示す対情報を含むことを特徴とする請求項７に記載の映像データ・ディスプレイ方法。
【請求項９】
前記第１視点映像データは、左視点映像データであり、
前記第２視点映像データは、右視点映像データであることを特徴とする請求項７に記載の映像データ・ディスプレイ方法。
【請求項１０】
前記付加情報は、
前記第１視点映像データが左視点映像データであり、かつ／または前記第２視点映像データが右視点映像データであるかを示す情報である視点情報を含むことを特徴とする請求項９に記載の映像データ・ディスプレイ方法。
【請求項１１】
前記受信された第１視点映像データ及び前記受信された第２視点映像データを保存する段階をさらに含むことを特徴とする請求項７に記載の映像データ・ディスプレイ方法。
【請求項１２】
前記第１視点映像データは、所定の基準によって分類された複数個のバッファのうち第１バッファに保存され、前記第２視点映像データは、前記複数個のバッファのうち第２バッファに保存されることを特徴とする請求項１１に記載の映像データ・ディスプレイ方法。
【請求項１３】
前記複数個のバッファは、
第１対の受信された映像データに係わる左視点映像データに対応する第１バッファ、前記第１対に係わる右視点映像データに対応する第２バッファ、第２対の受信された映像データに係わる左視点映像データに対応する第３バッファ、前記第２対に係わる右視点映像データに対応する第４バッファを含むことを特徴とする請求項１２に記載の映像データ・ディスプレイ方法。
【請求項１４】
前記第１視点映像データと前記第２視点映像データとをディスプレイする段階は、
所定回数ほど前記第１視点映像データと、前記第２視点映像データとを反復してディスプレイする段階を含むことを特徴とする請求項７に記載の映像データ・ディスプレイ方法。
【請求項１５】
前記第１視点映像データは、所定の基準によって分類された複数個のバッファのうち第１バッファに保存され、前記第２視点映像データは、前記複数個のバッファのうち第２バッファに保存する段階と、
前記第１視点映像データまたは前記第２視点映像データが、前記所定回数ほど反復してディスプレイされれば、前記バッファ内から前記第１視点映像データ、または前記第２視点映像データを削除する段階と、をさらに含むことを特徴とする請求項１４に記載の映像データ・ディスプレイ方法。
【請求項１６】
前記第１視点映像データは、１／Ｎ秒ごとに受信されて１／Ｙ秒ごとに出力され、
前記ＮとＹは、整数であり、ＮがＹより小さいことを特徴とする請求項１５に記載の映像データ・ディスプレイ方法。
【請求項１７】
前記付加情報を受信する段階は、
前記第１視点映像データ及び／または前記第２視点映像データから、前記付加情報を抽出する段階を含むことを特徴とする請求項７に記載の映像データ・ディスプレイ方法。
【請求項１８】
同じ二次元データを変換し、三次元映像を再生するのに使われる第１視点映像データ及び第２視点映像データを生成する生成部と、
前記第２視点映像データと前記第１視点映像データとの関係を示す付加情報を、前記第１視点映像データ及び／または前記第２視点映像データに付加する付加部と、
前記第１視点映像データ及び前記第２視点映像データを出力する出力部と、を含むことを特徴とする映像データ出力装置。
【請求項１９】
前記付加情報は、
前記第１視点映像データと前記第２視点映像データとが、前記同じ二次元データを変換して生成された１対の映像データであることを示す対情報を含むことを特徴とする請求項１８に記載の映像データ出力方法。
【請求項２０】
前記第１視点映像データは、左視点映像データであり、
前記第２視点映像データは、右視点データであることを特徴とする請求項１８に記載の映像データ出力装置。
【請求項２１】
前記付加情報は、
前記第１視点映像データが左視点映像データであり、かつ／または前記第２視点映像データが右視点映像データであることを示す情報である視点情報を含むことを特徴とする請求項１９に記載の映像データ出力装置。
【請求項２２】
同じ二次元データを変換して生成され、三次元映像を再生するのに使われる第１視点映像データと、第２視点映像データと、第１視点映像データと、第２視点映像データとの関係を示す付加情報を受信する受信部と、
前記付加情報に基づいて、前記第１視点映像データ及び前記第２視点映像データをディスプレイするディスプレイ部と、を含むことを特徴とする映像データ・ディスプレイ装置。
【請求項２３】
前記付加情報は、
前記第１視点映像データと前記第２視点映像データとが、前記同じ二次元データを変換して生成されたことであることを示す対情報を含むことを特徴とする請求項２２に記載の映像データ・ディスプレイ装置。
【請求項２４】
前記第１視点映像データは、左視点映像データであり
前記第２視点映像データは、右視点映像データであることを特徴とする請求項２２に記載の映像データ・ディスプレイ装置。
【請求項２５】
前記付加情報は、
前記第１視点映像データが左視点映像データであり、かつ／または前記第２視点映像データが右視点映像データであることを示す情報である視点情報を含むことを特徴とする請求項２４に記載の映像データ・ディスプレイ装置。
【請求項２６】
所定の基準によって分類された複数個のバッファを含む保存部と、
前記付加情報に基づいて、前記複数個のバッファのうち第１バッファに前記第１視点映像データが保存され、前記複数個のバッファのうち第２バッファに前記第２視点映像データが保存されるように制御する制御部と、をさらに含むことを特徴とする請求項２２に記載の映像データ・ディスプレイ装置。
【請求項２７】
前記制御部は、
所定回数ほど前記第１視点映像データ及び前記第２視点映像データが反復してディスプレイされるように、前記ディスプレイ部を制御することを特徴とする請求項２６に記載の映像データ・ディスプレイ装置。
【請求項２８】
前記制御部は、
前記第１視点映像データまたは前記第２視点映像データを前記所定回数ほど反復してディスプレイすることに対応し、前記第１バッファ及び前記第２バッファから、前記第１視点映像データまたは前記第２視点映像データが削除されるようにさらに制御することを特徴とする請求項２７に記載の映像ディスプレイ装置。
【請求項２９】
前記受信部は、各視点の映像データを１／Ｎ秒ごとに受信し、
前記ディスプレイ部は、前記受信された各視点の映像データを１／Ｙ秒ごとにディスプレイし、
前記ＮとＹは、ＮがＹより小さい整数であることを特徴とする請求項２６に記載の映像ディスプレイ装置。
【請求項３０】
前記受信部は、
前記付加情報を、前記第１視点映像データ及び／または前記第２視点映像データから抽出する抽出部を含むことを特徴とする請求項２２に記載の映像ディスプレイ装置。
【請求項３１】
請求項１に記載の方法を実行させるためのプログラムが記録されたコンピュータで読み取り可能な記録媒体。
【請求項３２】
請求項７に記載の方法を実行させるためのプログラムが記録されたコンピュータで読み取り可能な記録媒体。
【発明の詳細な説明】
【技術分野】
【０００１】
本発明は、映像データを出力する方法及び装置、並びに映像データをディスプレイする方法及び装置に関する。
【背景技術】
【０００２】
今日、イメージ処理技術の発達が急激に進行するにつれて、さらに実際に近い映像を望みのユーザが増加している。特に、従来には、スクリーンを介して、二次元（２Ｄ）映像だけを視聴できたユーザが立体感ある三次元（３Ｄ）映像を視聴することが増え続けている。これによって、３Ｄ映像を提供する技術が好まれている。
【０００３】
３Ｄ映像を提供する方法として、映像を制作する段階で、３Ｄ映像に生成できる。基本映像と深さ映像は、保存空間に記録されて保存される。この後、ユーザは、３Ｄ映像の再生を支援する映像出力装置を利用して基本映像と深さ映像とを処理することによって、３Ｄ映像を再生する。
【０００４】
しかし、このように、始めから三次元で映像を制作する場合は非常にまれであり、ほとんどは、二次元で映像を制作する。従って、このように、二次元で制作された映像を処理し、３Ｄ映像を再生する技術が使われている。
【発明の概要】
【発明が解決しようとする課題】
【０００５】
本発明の目的は、３Ｄ映像を出力する方法及び装置と、３Ｄ映像をディスプレイする方法及び装置とを提供することである。
【課題を解決するための手段】
【０００６】
前記の目的を達成するための本発明の一実施形態が有する１つの特徴は、２Ｄ映像データを変換し、３Ｄ映像を再生するのに使われる第１視点（view  point）映像データ及び第２視点映像データを生成する段階と、前記第２視点映像データと前記第１視点映像データとの関係を示す付加情報を生成する段階と、前記第１視点映像データ、前記第２視点映像データ及び前記付加情報を出力する段階と、を含むことができる。
【０００７】
前記付加情報は、前記第１視点映像データと前記第２視点映像データとが同じ２Ｄ映像データを変換して生成された１対の映像データであることを示す対情報（pair  information）を含むことができる。
【０００８】
前記第１視点映像データは、左視点映像データであり、前記第２視点映像データは、右視点映像データでありうる。
【０００９】
前記付加情報は、前記第１視点映像データ及び前記第２視点映像データが、左視点映像データであるか、あるいは右視点映像データであるかを示す視点情報を含むことができる。
【００１０】
前記付加情報を生成する段階は、前記付加情報を生成する段階と、前記生成された付加情報を、前記第１視点映像データ及び／または前記第２視点映像データに付加する段階と、を含むことができる。
【００１１】
前記付加情報を生成する段階は、前記第１視点映像データ及び／または前記第２視点映像データのビット列として前記付加情報を生成する段階を含むことができる。
【００１２】
本発明の他の実施形態が有する１つの特徴は、同じ２Ｄ映像データを変換して生成され、３Ｄ映像を再生するのに使われる第１視点映像データ及び第２視点映像データを受信する段階と、前記第２視点映像データと前記第１視点映像データとの関係を示す付加情報を受信する段階と、前記付加情報に基づいて、前記第１視点映像データ及び前記第２視点映像データをディスプレイする段階と、を含むことである。
【００１３】
前記付加情報は、前記第１視点映像データと前記第２視点映像データとが、前記同じ２Ｄ映像データを変換して生成された１対の映像データであることを示す対情報を含むことができる。
【００１４】
前記第１視点映像データは、左視点映像データであり、前記第２視点映像データは、右視点映像データでありうる。
【００１５】
前記付加情報は、前記第１視点映像データが左視点映像データであり、かつ／または前記第２視点映像データが右視点映像データであるかを示す情報である視点情報を含むことができる。
【００１６】
前記受信された第１視点映像データ及び前記受信された第２視点映像データを保存する段階をさらに含むことができる。
【００１７】
前記第１視点映像データは、所定の基準によって分類された複数個のバッファのうち第１バッファに保存され、前記第２視点映像データは、前記複数個のバッファのうち第２バッファに保存されうる。
【００１８】
前記複数個のバッファは、第１対の受信された映像データに係わる左視点映像データに対応する第１バッファ、前記第１対に係わる右視点映像データに対応する第２バッファ、第２対の受信された映像データに係わる左視点映像データに対応する第３バッファ、前記第２対に係わる右視点映像データに対応する第４バッファを含むことができる。
【００１９】
前記第１視点映像データと前記第２視点映像データとをディスプレイする段階は、所定回数ほど前記第１視点映像データと前記第２視点映像データとを反復してディスプレイする段階を含むことができる。
【００２０】
前記第１視点映像データは、所定の基準によって分類された複数個のバッファのうち第１バッファに保存され、前記第２視点映像データは、前記複数個のバッファのうち第２バッファに保存する段階と、前記第１視点映像データまたは前記第２視点映像データが、前記所定回数ほど反復してディスプレイされれば、前記バッファ内から前記第１視点映像データまたは前記第２視点映像データを削除する段階と、をさらに含むことができる。
【００２１】
前記第１視点映像データは、１／Ｎ秒ごとに受信されて１／Ｙ秒ごとに出力され、前記ＮとＹは、整数であり、ＮがＹより小さい。
【００２２】
前記付加情報を受信する段階は、前記第１視点映像データ及び／または前記第２視点映像データから、前記付加情報を抽出する段階を含むことができる。
【００２３】
本発明の他の実施形態が有する１つの特徴は、同じ２Ｄ映像データを変換し、３Ｄ映像を再生するのに使われる第１視点映像データ及び第２視点映像データを生成する生成部と、前記第２視点映像データと前記第１視点映像データとの関係を示す付加情報を、前記第１視点映像データ及び／または前記第２視点映像データに付加する付加部と、前記第１視点映像データ及び前記第２視点映像データを出力する出力部と、を含むことである。
【００２４】
本発明の他の実施形態が有する１つの特徴は、同じ２Ｄ映像データを変換して生成され、３Ｄ映像を再生するのに使われる第１視点映像データと、第２視点映像データとの関係を示す付加情報を受信する受信部と、前記付加情報に基づいて、前記第１視点映像データ及び前記第２視点映像データをディスプレイするディスプレイ部と、を含むことである。
【発明の効果】
【００２５】
本発明の一実施形態では、左視点映像データを左目を介して視聴し、右視点映像データを右目を介して視聴するように視点情報を使用する。従って、ユーザは、３Ｄ映像データを歪曲なしに視聴できる。
【図面の簡単な説明】
【００２６】
【図１】本発明の一実施形態による映像データ出力装置に係わるブロック図である。
【図２Ａ】図１に図示された映像データ出力装置の構成を詳細に示した図である。
【図２Ｂ】本発明の一実施形態による映像データ出力装置で、付加情報が付加された３Ｄ映像データを出力する一例の図である。
【図２Ｃ】本発明の一実施形態による映像データ出力装置で、付加情報が付加された３Ｄ映像データを出力する他の例の図である。
【図３】本発明の一実施形態による映像データ・ディスプレイ装置に係わるブロック図である。
【図４】本発明の他の実施形態による映像データ・ディスプレイ装置に係わるブロック図である。
【図５】本発明の一実施形態による映像データ・ディスプレイ装置を利用して３Ｄ映像データをディスプレイする一例の図である。
【図６Ａ】図５に図示された本発明の一実施形態による映像データ・ディスプレイ装置内の保存部の図である。
【図６Ｂ】図５に図示された本発明の一実施形態による映像データ・ディスプレイ装置内の保存部の図である。
【図６Ｃ】図５に図示された本発明の一実施形態による映像データ・ディスプレイ装置内の保存部の図である。
【図７】本発明の一実施形態による映像データ出力方法に係わるフローチャートである。
【図８】本発明の一実施形態による映像データ・ディスプレイ方法に係わるフローチャートである。
【発明を実施するための形態】
【００２７】
本発明は、２００８．９．１９．付けで出願された韓国特許出願Ｎｏ．２００８−９２４１７号と、２００８．６．２４．付けで出願された米国仮出願Ｎｏ．６１／０７５，１８４号に対して優先権を主張する。
【００２８】
以下、添付された図面を参考にして、本発明の望ましい実施形態について詳細に説明する。
【００２９】
図１は、本発明の一実施形態による映像データ出力装置１００に係わるブロック図を示している。
【００３０】
本発明の一実施形態による映像データ出力装置１００は、生成部１１０、付加部１２０及び出力部１３０を含む。必須なものではないが、映像データ出力装置１００は、伝送装置、記録媒体にデータを記録するデータ記録装置、ワークステーション、デスクトップ、ノート型パソコンであって、ソフトウェア／ファームウェアを利用して実行できる機能を含む一つ以上のコンピュータを利用して具現されうる。
【００３１】
生成部１１０は、二次元（２Ｄ）映像データを変換して三次元（３Ｄ）映像データを生成する。２Ｄ映像データは、２Ｄ映像を再生するのに使われる映像データを意味し、３Ｄ映像データは、３Ｄ映像を再生するのに使われる映像データを意味する。
【００３２】
ステレオ映像を再生する場合、生成部１１０は、２Ｄ映像データを変換し、左視点映像データと右視点映像データとを生成する。実施形態によっては、左視点映像データは、左目用映像データであり、右視点映像データは、右目用映像データでありうる。
【００３３】
３以上の視点を有する多視点映像を再生する場合、生成部１１０は、２Ｄ映像データを変換し、視点が異なる３以上の３Ｄ映像データを生成する。以下、説明の便宜のために、ステレオ映像を再生する場合を仮定し、左視点映像データを中心にして説明する。しかし、以下で説明するあらゆる説明は、右視点映像データに適用され、３以上の視点を有する視点映像を再生する場合にも適用されうる。
【００３４】
付加部１２０は、生成された３Ｄ映像データのうち少なくとも一つに付加情報を付加する。望ましくは、３Ｄ映像データそれぞれに付加情報を付加する。付加情報は、同じ２Ｄ映像データを変換して生成された３Ｄ映像データ間の関係を示す情報であるならば、その形式は関係がない。一例として、後述する対情報（pair  information）及び視点情報のうち少なくとも一つが付加情報に含まれうる。
【００３５】
対情報は、左視点映像データと右視点映像データとが同じ２Ｄ映像データを変換して生成された場合、それら左視点映像データと右視点映像データとが１対であることを示す情報である。
【００３６】
視点情報は、生成された３Ｄ映像データが左視点映像データであるか、あるいは右視点映像データであるかを示す情報である。
【００３７】
付加部１２０は、複数のビット列に対情報及び視点情報を記録できる。一例として、３Ｄ映像データ内の所定領域に存在する８個のビットのうち上位４個のビットには、対情報を記録し、下位４個のビットには、視点情報を記録できるが、本発明がこれに限定されるものではない。例えば、付加部１２０は、３Ｄ映像データ内の所定領域に存在する８個のビットのうち下位４個のビットに対情報を記録し、上位４個のビットには、視点情報を記録することもできる。
【００３８】
対情報は、３Ｄ映像データを変換するのに使われた２Ｄ映像データを表示するための情報であり、同じ２Ｄ映像データを変換して生成された３Ｄ映像データは、同じ対情報値を有することができる。対情報が有する値の種類は、実施形態によって多様に設定されうる。
【００３９】
一実施形態では、３Ｄ映像データを変換するのに使われた２Ｄ映像データの順序によって、対情報が有する値の種類を１６個に分類できる。この場合、最初の２Ｄ映像データを変換して生成された３Ｄ映像データの対情報は、「００００」の値を有し、２番目の２Ｄ映像データを変換して生成された３Ｄ映像データの対情報は、「０００１」の値を有することができる。同様に、１６番目の２Ｄ映像データを変換して生成された３Ｄ映像データの対情報は、「１１１１」の値を有し、１７番目の２Ｄ映像を変換して生成された３Ｄ映像データの対情報は、再び「００００」の値を有することができる。
【００４０】
他の実施形態では、３Ｄ映像データを変換するのに使われた２Ｄ映像データが偶数番号目の２Ｄ映像データであるか、奇数番目の２Ｄ映像データであるかによって、対情報が有する値の種類を２個に分類できる。この場合、偶数番目の２Ｄ映像データを変換して生成された３Ｄ映像データは、「００００」の値を有し、奇数番目の２Ｄ映像データを変換して生成された３Ｄ映像データは、「１１１１」の値を有することができる。
【００４１】
視点情報が有する値の種類は、２Ｄ映像データを変換して生成しようとする１対の３Ｄ映像データの個数によって、多様に設定できる。ステレオ映像を再生しようとする場合には、視点情報が有することができる値の種類を二種に限定されうる。一例として、左視点映像データの視点情報は、「００００」の値を有し、右視点映像データの視点情報は、「１１１１」の値を有するように設定できる。
【００４２】
従って、偶数番目の２Ｄ映像データを変換して生成された左視点映像データについての付加情報には、「００００００００」の値を有するビット列が含まれ、同じ２Ｄ映像データを変換して生成された右視点映像データについての付加情報には、「００００１１１１」の値を有するビット列が含まれるのである。同様に、奇数番目の２Ｄ映像データを変換して生成された左視点映像データについての付加情報には、「１１１１００００」の値を有するビット列が含まれるのである。また、生成部１１０で、同じ２Ｄ映像データを変換して生成された右視点映像データについての付加情報は、「１１１１１１１１」の値を有するビット列が含まれるのである。
【００４３】
出力部１３０は、付加部１２０によって付加情報が付加された３Ｄ映像データを、後述する映像データ・ディスプレイ装置３００に伝送する。
【００４４】
前述の実施形態では、映像出力装置１００内の生成部１１０が、２Ｄ映像データを変換して３Ｄ映像データを生成し、３Ｄ映像データ間の関係を示す付加情報を生成した。しかし、他の実施形態では、生成部１１０で付加情報を直接生成せず、あらかじめ生成された付加情報を獲得し、３Ｄ映像データと共にディスプレイ装置３００に伝送することもできる。
【００４５】
一例において、映像出力装置１００は、受信部（図示せず）をさらに含むことができる。受信部は、ネットワーク網を介して、外部サーバから付加情報が含まれたメタデータを受信したり、ケーブル放送を提供する放送サーバから、ケーブル網を介してメタデータを受信する。しかし、本発明は、これに限定されるものではない。例えば、本発明の他の実施形態では、受信部が無線連結及び／または有線連結（ＵＳＢ、ブルートゥースなど）を介して、外部保存装置（例えば、サーバ）から、メタデータを受信することができる。他の例において、映像出力装置１００は、判読部（図示せず）をさらに含むことができる。記録媒体には、２Ｄ映像データ、または２Ｄ映像データを変換して生成された３Ｄ映像データが記録されており、映像データと共に付加情報が含まれたメタデータが記録されている。判読部（図示せず）は、記録媒体を判読してメタデータを獲得した後、メタデータを３Ｄ映像データと共に、ディスプレイ装置３００に伝送することもできる。
【００４６】
図２Ａは、図１に図示された映像データ出力装置１００に係わる具体的な構成を示している。
【００４７】
デコーダ２１０は、入力された２Ｄ映像データをデコーディングする。デコーディングされた２Ｄ映像データは、生成部１１０に伝えられる。
【００４８】
生成部１１０は、入力された２Ｄ映像データを変換して３Ｄ映像を再生するのに使われる１対の３Ｄ映像データを生成する。
【００４９】
付加部１２０は、同じ２Ｄ映像データを変換して生成された３Ｄ映像データ間の関係を示す付加情報を、３Ｄ映像データのうち少なくとも一つに付加する。図２Ａで付加情報は、対情報及び視点情報のうち少なくとも一つを含むことができる。
【００５０】
付加部１２０は、視点決定部１２２及び情報記録部１２４を含むことができる。
【００５１】
視点決定部１２２は生成された１対の３Ｄ映像データの視点を決定する。すなわち、１対の３Ｄ映像データのうちいかなる映像データが左視点映像データであり、いかなる映像データが右視点映像データであるかを決定する。
【００５２】
情報記録部１２４は、左視点映像データと右視点映像データとが同じ２Ｄ映像データを利用して生成された１対の３Ｄ映像データであることを示す対情報と、視点情報とを、映像データそれぞれに付加する。対情報及び視点情報は、メタデータ形態に生成されもするが、３Ｄ映像データ内の所定領域に記録されることによって付加されうる。
【００５３】
出力部１３０は、対情報及び視点情報が付加された１対の３Ｄ映像データを出力する。出力部１３０が６０Ｈｚの伝送速度で３Ｄ映像データを出力するならば、１対の３Ｄ映像データが出力されるには１／３０秒がかかる。
【００５４】
図２Ｂは、本発明の一実施形態による映像データ出力装置２００で、付加情報が付加された３Ｄ映像データを出力する一例を示している。
【００５５】
図２Ｂを参考にすれば、付加情報２３１は、３Ｄ映像データ２３２，２３３に係わるメタデータ形式で出力される。この場合、出力順序は、実施形態によって多様に設定され、図２Ｂでは、付加情報２３１，左視点映像データ２３２，右視点映像データ２３３の順に出力されることが分かる。
【００５６】
図２Ｃは、本発明の一実施形態による映像データ出力装置２００で、付加情報が付加された３Ｄ映像データを出力する他の例を示している。
【００５７】
図２Ｃを参考にすれば、付加情報２４２，２４４は、３Ｄ映像データ２４１，２４３内部の所定領域に記録される。すなわち、左視点映像データ２４１についての付加情報２４２は、左視点映像データ２４１の内部に記録され、右視点映像データ２４３についての付加情報は、右視点映像データ２４３の内部に記録される。このとき、３Ｄ映像データを出力する順序は、実施形態によって多様に設定され、
図２Ｃでは、左視点映像データ２４３、右視点映像データ２４３の順で出力される。
【００５８】
図３は、本発明の一実施形態による映像データ・ディスプレイ装置３００に係わるブロック図を示している。
【００５９】
本発明の一実施形態による映像データ・ディスプレイ装置３００は、受信部３１０、抽出部３２０及びディスプレイ部３３０を含む。必須なものではないが、映像データ・ディスプレイ装置３００は、ワークステーション、デスクトップ、ノート型パソコン、メディア・プレイヤ、テレビ、セットトップ・ボックス、媒体から映像データを判読する再生装置であって、ソフトウェア／ファームウェアを利用して実行される関数を含む一つ以上のコンピュータ及び／またはプロセッサを利用して具現されうる。
【００６０】
受信部３１０は、映像データ出力装置１００から３Ｄ映像データを受信する。受信された３Ｄ映像データには、同じ２Ｄ映像データを変換して生成された３Ｄ映像データ間の関係を示す付加情報が含まれうる。
【００６１】
付加情報は、対情報及び視点情報のうち少なくとも一つを含む。
【００６２】
対情報は、１つの２Ｄ映像データを変換して生成された左視点映像データ及び右視点映像データが、１対の３Ｄ映像データであることを示す情報である。対情報が同じである左視点映像データ及び右視点映像データが１対の３Ｄ映像データであると判断されうる。
【００６３】
視点情報は、３Ｄ映像データが右視点映像であるか、あるいは左視点映像データであるかを示す情報である。
【００６４】
抽出部３２０は、受信された３Ｄ映像データから付加情報を抽出する。
【００６５】
ディスプレイ部３３０は、付加情報に基づいて、３Ｄ映像データをディスプレイする。具体的には、対情報及び視点情報に基づいて、３Ｄ映像データがディスプレイされるか否かということと、ディスプレイされる順序とを決定し、順序によって、３Ｄ映像データをディスプレイする。３Ｄ映像データのディスプレイに係わる一例は、図５で詳細に後述する。
【００６６】
図４は、本発明の他の実施形態による映像データ・ディスプレイ装置４００に係わるブロック図を示している。
【００６７】
本発明の他の実施形態による映像データ・ディスプレイ装置４００は、受信部４１０、抽出部４２０、制御部４３０、保存部４４０及びディスプレイ部４５０を含む。受信部４１０、抽出部４２０及びディスプレイ部４５０の動作は、図３と同一であるので、以下では説明を省略する。
【００６８】
制御部４３０は、付加情報に基づいて、３Ｄ映像データが保存、削除またはディスプレイされるように制御する。
【００６９】
保存部４４０は、所定の基準によって分類された複数のバッファ４４２ないし４４８を含む。所定の基準は、実施形態によって多様に設定できる。一例として、３Ｄ映像データに付加された視点情報及び対情報に基づいて、バッファが分類されうる。保存部４４０は、制御部４３０の制御によって、複数のバッファのうち一つに３Ｄ映像データを保存したり、あるいは保存された３Ｄ映像データをディスプレイ部４５０に伝送したり削除する。
【００７０】
以下では、映像データ・ディスプレイ装置４００の動作について、経時的に説明する。
【００７１】
受信部４１０は、映像出力装置１００から３Ｄ映像データを受信する。受信される３Ｄ映像データは、２Ｄ映像データを変換した映像データであり、付加情報を含むことができる。付加情報は、同じ２Ｄ映像データ変換して生成された３Ｄ映像データ間の関係を示す情報であり、対情報及び視点情報のうち少なくとも一つを含むことができる。
【００７２】
対情報及び視点情報は、３Ｄ映像データ内の８個のビット列を介して表示され、上位４ビットは、対情報を示し、下位４ビットは、視点情報を示すと仮定する。
【００７３】
対情報は、３Ｄ映像データが偶数番目の２Ｄ映像データを変換して生成されたものであるか、奇数番目の２Ｄ映像データを変換して生成されたものであるかを示すことができる。上位４ビットが「００００」であれば、３Ｄ映像データは、偶数番目の２Ｄ映像データを変換して生成されたものであり、上位４ビットが「１１１１」であるならば、３Ｄ映像データは、奇数番目の２Ｄ映像データを変換して生成されたものであることを意味する。
【００７４】
視点情報は、３Ｄ映像データが、左視点映像データであるか、あるいは右視点映像データであるかを示すことができる。下位４ビットが「００００」であるならば、３Ｄ映像データは、左視点映像データであり、下位４ビットが「１１１１」であるならば、３Ｄ映像データは、右視点映像データであることを意味する。
【００７５】
抽出部４２０は、３Ｄ映像データから対情報及び視点情報を抽出する。抽出された対情報及び視点情報が「００００００００」であるならば、３Ｄ映像データは、偶数番目の２Ｄ映像データを変換して生成された左視点映像データである。以下では、偶数番目の２Ｄ映像データを変換して生成された１対の３Ｄ映像データを第１対とし、奇数番目映像データを変換して生成された１対の３Ｄ映像データを第２対とする。
【００７６】
制御部４３０は、対情報及び視点情報に基づいて、３Ｄ映像データが保存されるバッファを選択する。保存部４４０は、４個のバッファ４４２，４４４，４４６，４４８から構成され、第１バッファ４４２には、第１対に該当する左視点映像データが保存され、第２バッファ４４４には、第１対に該当する右視点映像データが保存される。第３バッファ４４６には、第２対に該当する左視点映像データが保存され、第４バッファ４４８には、第２対に該当する右視点映像データが保存される。従って、「００００００００」のビット列が示す付加情報を有する３Ｄ映像データは、第１バッファに保存される。しかし、本発明が対情報及び視点情報によって分類される４個のバッファ４４２〜４４８に限定されるものではない。本発明の他の実施形態では、他の分類基準によって、４以上またはそれ以下のバッファが使われもする。例えば、対情報または視点情報によって分類された２個のバッファだけ提供されもする。
【００７７】
この後、制御部４３０は、順序によって第１バッファ４４２に保存された３Ｄ映像データがディスプレイ部４５０に伝達されるように制御する。３Ｄ映像データをディスプレイする順序としては、同一対の左視点映像データがまずディスプレイされ、同一対の右視点映像データが連続してディスプレイされたり、あるいはその反対でありうる。
【００７８】
制御部４３０は、３Ｄ映像データが所定回数ほど反復してディスプレイされるように制御し、所定回数ほど反復してディスプレイできた３Ｄ映像データは、バッファから削除されるように制御する。３Ｄ映像データのディスプレイ及びバッファリングに係わる詳細な説明は、図５及び図６で後述する。
【００７９】
ディスプレイ部４５０は、伝えられた３Ｄ映像データをディスプレイする。
【００８０】
従来の映像データ出力装置は、２Ｄ映像データを変換して３Ｄ映像データを生成した後、対情報または視点情報を付加せずに、映像データ・ディスプレイ装置に伝送した。３Ｄ映像データを受信する映像データ・ディスプレイ装置は、伝送された順序によって、左視点映像データと右視点映像データとを交互にディスプレイする。このとき、ユーザは、３Ｄ映像を視聴するための補助道具（一例としては、メガネ）を利用することによって、左視点映像データを左目で視聴し、右視点映像データを右目で視聴する。
【００８１】
従来の方法による場合にも、３Ｄ映像データが順次に伝送されてディスプレイされる場合には、ユーザが３Ｄ映像を視聴できる。しかし、３Ｄ映像データが順次に伝送されなかったり、視聴途中に電源が遮断され、一部の３Ｄ映像データが受信及びディスプレイされない場合には、ユーザが３Ｄ映像を視聴できない。
【００８２】
一例として、ユーザが左視点映像データを左目で視聴していた間、映像データ・ディスプレイ電源が一時的に遮断され、この後、電源が再び印加される視点で、再び左視点映像データが受信されたと仮定する。この場合、３Ｄ映像データには、視点情報が存在しないために映像データ・ディスプレイは受信された３Ｄ映像データが、左視点映像データであるか、あるいは右視点映像データであるかが分からない。従って、別途の同期を合わせる過程が伴わないならば、映像データ・ディスプレイ装置は、左視点映像データを右目映像と判断することもある。この場合、ユーザは、左視点映像データを右目で視聴し、右視点映像データを左目で視聴し、立体感を望ましく感じられない。
【００８３】
しかし、本発明の一実施形態による映像データ・ディスプレイ装置４００は、３Ｄ映像データに含まれた視点情報を利用し、左視点映像データは、左目を介して視聴し、右視点映像データは、右目を介して視聴できるようにすることによって、ユーザが歪曲（distortion）なしに、３Ｄ映像を視聴できるようにする。
【００８４】
また、従来には、３Ｄ映像データに対情報が含まれていないために、映像データ・ディスプレイ装置４００が、１対の左視点映像データと右視点映像データとをいずれもディスプレイできずに、一部だけディスプレイした後、次の対をディスプレイする場合が発生しうる。この場合、映像の重複現象により、ユーザは、正確な立体感を感じられなくなる。
【００８５】
しかし、本発明の一実施形態による映像データ・ディスプレイ装置４００は、３Ｄ映像データに含まれた対情報を利用し、１対の左視点映像データと右視点映像データとがいずれもディスプレイされるように保証することによって、ユーザが自然な３Ｄ映像を視聴できるようにする。
【００８６】
図５は、本発明の一実施形態による映像データ・ディスプレイ装置４００を利用し、３Ｄ映像データをディスプレイする一例を示している。
【００８７】
図５の下端には、本発明の一実施形態による映像データ出力装置１００から出力される３Ｄ映像データを、経時的に表示した。映像データ出力装置１００は、６０Ｈｚの速度で３Ｄ映像データを出力するので、単位時間は、１／６０秒に設定した。
【００８８】
３Ｄ映像データは、対情報及び視点情報を含む。対情報は、３Ｄ映像データに含まれた２個のビットのうち上位ビットを利用して表示し、視点情報は、下位ビットを利用して表示する。対情報を示すビットが「０」である３Ｄ映像データは、偶数番目の２Ｄ映像データを利用して生成されたことを意味し、ビットが「１」である３Ｄ映像データは、奇数番目の２Ｄ映像データを利用して生成されたことを意味する。また、視点情報を示すビットが「０」である３Ｄ映像データは、左視点映像データであることを意味し、ビットが「１」である３Ｄ映像データは、右視点映像データであることを意味する。
【００８９】
１／６０秒では、３Ｄ映像データ５０１が出力される。３Ｄ映像データ５０１について述べれば、対情報を示すビットと、視点情報を示すビットがいずれも「０」である。従って、３Ｄ映像データ５０１は、偶数番目の２Ｄ映像データを利用して生成され、左視点映像データであることが分かる。
【００９０】
２／６０秒では、３Ｄ映像データ５０２が出力される。３Ｄ映像データ５０２について述べれば、対情報を示すビットは「０」であり、視点情報を示すビットは「１」である。従って、３Ｄ映像データ５０２は、偶数番目の２Ｄ映像データを利用して生成され、右視点映像データであることが分かる。また、３Ｄ映像データ５０２と３Ｄ映像データ５０１は、対情報が同一であり、視点情報は異なり、連続的に伝送されることに照らし、１対であることが分かる。
【００９１】
３／６０秒では、３Ｄ映像データ５０３が出力される。３Ｄ映像データ５０３について述べれば、対情報を示すビットは「１」であり、視点情報を示すビットは「０」である。従って、３Ｄ映像データ５０３は、奇数番目の２Ｄ映像データを利用して生成され、左視点映像データであることが分かる。また、対情報が異なるので、３Ｄ映像データ５０２と３Ｄ映像データ５０３は、１対ではないことが分かる。
【００９２】
図５の上端には、本発明の一実施形態による映像データ・ディスプレイ装置４００を利用してディスプレイされる３Ｄ映像データを経時的に表示した。
【００９３】
１／６０秒では、映像データ出力装置１００から３Ｄ映像データ５０１が受信され、受信された３Ｄ映像データ５０１は、保存部４４０に保存される。
【００９４】
２／６０秒では、映像データ出力装置１００から３Ｄ映像データ５０２が受信され、受信された３Ｄ映像データ５０２は、保存部４４０に保存される。
【００９５】
３／６０秒では、映像データ出力装置１００から３Ｄ映像データ５０３が受信され、受信された３Ｄ映像データ５０３は、保存部４４０に保存される。このとき、映像データ・ディスプレイ装置４００は、保存された左視点映像データをディスプレイする。すなわち、３Ｄ映像データ５０１をディスプレイする。
【００９６】
本発明では、１／６０秒ごとに３Ｄ映像データが受信されるので、３．５／６０秒では、映像データ出力装置１００から３Ｄ映像データが受信されない。このとき、映像データ・ディスプレイ装置４００は、保存された右視点映像データをディスプレイする。すなわち、３Ｄ映像データ５０２をディスプレイする。従来には、映像データ出力装置１００から映像データが受信されない区間では、直前に受信された映像データを続けてディスプレイせざるを得なかった。従って、従来には、１／３０秒ごとに１対の３Ｄ映像データを再生したが、本発明の一実施形態では、保存された３Ｄ映像データを利用するので、１／６０秒の間に１対の３Ｄ映像データを再生できる。
【００９７】
４／６０秒では、映像データ出力装置１００から、３Ｄ映像データ５０４が受信され、受信された３Ｄ映像データ５０４は、保存部４４０に保存される。このとき、映像データ・ディスプレイ装置４００は、３Ｄ映像データ５０１を再生する。３Ｄ映像データ５０１は、２回反復して再生されたので、保存部４４０から削除される。
【００９８】
４．５／６０秒では、映像データ出力装置１００から３Ｄ映像データが受信されない。このとき、映像データ・ディスプレイ装置４００は、３Ｄ映像データ５０２を再生する。３Ｄ映像データ５０２は、２回反復して再生されたので、保存部４４０から削除される。
【００９９】
従来には、映像データ出力装置１００が１／６０秒ごとに映像データを出力することになれば、映像データ・ディスプレイ装置４００も、１／６０秒ごとに１つの映像データをディスプレイした。２Ｄ映像データをディスプレイする場合には、１つの場面をディスプレイするのに、１／６０秒がかかるが、３Ｄ映像データをディスプレイする場合には、１つの場面を再生するのに、２／６０秒がかかる。２つの３Ｄ映像データがディスプレイされてこそ、視聴者は、１つの場面を視聴できるのである。しかし、ユーザは１／６０秒単位で１つの場面を見たとき、最も柔らか味があると感じるので、従来の映像データ・ディスプレイ装置４００を利用して３Ｄ映像を再生すれば、ユーザは映像が不自然であると感じるようになる。
【０１００】
一方、本発明の一実施形態による映像データ・ディスプレイ装置４００では、複数のバッファを利用し、受信された３Ｄ映像データを分類して保存し、保存された３Ｄ映像データを利用し、所定回数ほど反復して３Ｄ映像データをディスプレイすることにより、１／６０秒単位とした対の３Ｄ映像データを出力できる。従って、ユーザは、自然な３Ｄ映像を視聴できる。
【０１０１】
図６Ａ、図６Ｂ及び図６Ｃは、図５に図示された本発明の一実施形態による映像データ・ディスプレイ装置４００内の保存部４４０を示している。
【０１０２】
本発明の一実施形態による映像データ・ディスプレイ装置４００内の保存部４４０は、第１バッファ４４２、第２バッファ４４４、第３バッファ４４６及び第４バッファ４４８を含む。
【０１０３】
第１バッファ４４２は、第１対に該当する左視点映像データを保存し、第２バッファ４４４は、第１対に該当する右視点映像データを保存する。第３バッファ４４６は、第２対に該当する左視点映像データを保存し、第４バッファ４４８は、第２対に該当する右視点映像データを保存する。図６Ａ、図６Ｂ及び図６Ｃでは、対情報を示すビットが「０」である３Ｄ映像データは、第１対に該当し、対情報を示すビットが「１」である３Ｄ映像データは、第２対に該当する。
【０１０４】
図６Ａでは、図５を参考にして、１／６０秒から２．５／６０秒までの区間での保存部４４０の動作について述べている。
【０１０５】
１／６０秒では、映像データ出力装置１００から３Ｄ映像データ５０１を受信して保存部４４０に保存する。３Ｄ映像データ５０１内の対情報を示すビットは「０」であり、視点情報を示すビットも「０」であるから３Ｄ映像データ５０１は第１バッファ４４２に保存される。
【０１０６】
１．５／６０秒では、映像データ出力装置１００からデータが受信されない。
【０１０７】
２／６０秒では、映像データ出力装置１００から３Ｄ映像データ５０２を受信し、保存部４４０に保存する。３Ｄ映像データ５０２の対情報を示すビットは「０」であり、視点情報を示すビットも「１」であるから、３Ｄ映像データ５０２は、第２バッファ４４４に保存される。
【０１０８】
２．５／６０秒では、映像データ出力装置１００からデータが受信されない。
【０１０９】
図６Ｂは、図５を参考にして、３／６０秒から４．５／６０秒までの区間での保存部４４０の動作について述べている。
【０１１０】
３／６０秒では、映像データ出力装置１００から３Ｄ映像データ５０３を受信し、保存部４４０に保存する。３Ｄ映像データ５０３の対情報を示すビットは「１」であり、視点情報を示すビットは「０」であるから、３Ｄ映像データ５０３は、第３バッファ４４４に保存される。このとき、第１バッファ４４２に保存された３Ｄ映像データ５０１は、ディスプレイ部４５０に出力される。
【０１１１】
３．５／６０秒では、映像データ出力装置１００からデータが受信されない。このとき、第２バッファ４４４に保存された３Ｄ映像データ５０２がディスプレイ部に出力される。
【０１１２】
４／６０秒では、映像データ出力装置１００から３Ｄ映像データ５０４を受信し、保存部４４０に保存する。３Ｄ映像データ５０４の対情報を示すビットは「１」であり、視点情報を示すビットは「１」であるから、３Ｄ映像データ５０４は、第３バッファ４４８に保存される。このとき、第１バッファ４４２に保存された３Ｄ映像データ５０１は、ディスプレイ部４５０に出力される。第１バッファ４４２に保存された３Ｄ映像データ５０１は、２回ディスプレイされたので、第１バッファ４４２から削除する。
【０１１３】
４．５／６０秒では、映像データ出力装置１００からデータが受信されない。このとき、第２バッファ４４４に保存された３Ｄ映像データ５０２がディスプレイ部４５０に出力される。第２バッファ４４４に保存された３Ｄ映像データ５０２は、２回ディスプレイされたので、第２バッファ４４４から削除される。
【０１１４】
図６Ｃは、図５を参考にして、５／６０秒から６．５／６０秒までの区間での保存部４４０の動作について述べている。
【０１１５】
５／６０秒では、映像データ出力装置１００から３Ｄ映像データ５０５を受信し、保存部４４０に保存する。３Ｄ映像データ５０５の対情報を示すビットは「０」であり、視点情報を示すビットも「０」であるから、３Ｄ映像データ５０５は、第３バッファ４４２に保存される。このとき、第１バッファ４４４に保存された３Ｄ映像データ５０３は、ディスプレイ部４５０に出力される。
【０１１６】
５．５／６０秒では、映像データ出力装置１００からデータが受信されない。このとき、第２バッファ４４８に保存された３Ｄ映像データ５０４がディスプレイ部に出力される。
【０１１７】
６／６０秒では、映像データ出力装置１００から３Ｄ映像データ５０６を受信し、保存部４４０に保存する。３Ｄ映像データ５０６の対情報を示すビットは「０」であり、視点情報を示すビットは「１」であるから、３Ｄ映像データ５０６は、第２バッファ４４４に保存される。このとき、第１バッファ４４６に保存された３Ｄ映像データ５０３は、ディスプレイ部４５０に出力される。第３バッファ４４６に保存された３Ｄ映像データ５０３は、２回ディスプレイされたので、第３バッファ４４６から削除する。
【０１１８】
５．５／６０秒では、映像データ出力装置１００からデータが受信されない。このとき、第４バッファ４４８に保存された３Ｄ映像データ５０４がディスプレイ部４５０に出力される。第４バッファ４４８に保存された３Ｄ映像データ５０４は、２回ディスプレイされたので、第４バッファ４４８から削除される。
【０１１９】
図６Ａ、図６Ｂ及び図６Ｃで、映像データ・ディスプレイ装置４００は、保存された３Ｄ映像データを利用して、１／１２０秒ごとに１つの３Ｄ映像データをディスプレイすることにより、１対の３Ｄ映像データを１／６０秒ごとにディスプレイする。実施形態によっては、映像データ出力装置１００の出力速度が６０Ｈｚ以下でもあり、その場合、反復して再生する回数を調節し、１対の３Ｄ映像データを１／６０秒ごとにディスプレイできるように制御できる。
【０１２０】
また、図６Ａ、図６Ｂ及び図６Ｃでは、１対の左視点映像データ及び右視点データがいずれも保存され、次の対の左視点映像データが受信された瞬間から、保存された３Ｄ映像データをディスプレイする。しかし、実施形態によっては、１対の左視点映像データ及び右視点データが受信された視点（２／６０秒）から、保存された左視点映像データをディスプレイすることもできる。
【０１２１】
図７は、本発明の一実施形態による映像データ出力方法に係わるフローチャートを示している。
【０１２２】
段階Ｓ７１０では、３Ｄ映像を再生するのに使われる第１視点映像データ及び第２視点映像データを生成する。第１視点映像データ及び第２視点映像データは、同じ２Ｄ映像データを変換して生成する。
【０１２３】
段階Ｓ７２０では、同じ２Ｄ映像データを変換して生成された第１視点映像データと第２視点映像データとの関係を示す付加情報を生成し、生成された付加情報を第１視点映像データ及び第２視点映像データのうち少なくとも一つに付加する。実施形態によっては、付加情報を第１視点映像データ及び第２視点映像データにいずれも付加することができ、第１視点映像データ及び第２視点映像データのうち一つだけに付加することもできる。
【０１２４】
付加情報には、第１視点映像データと前記第２視点映像データとが同じ２Ｄ映像データを変換して生成された１対の映像データであることを示す対情報、及び第１視点映像データ及び第２視点映像データが、左視点映像データであるか、あるいは右視点映像データであるかを示す視点情報のうち少なくとも一つが含まれうる。
【０１２５】
前述の対情報及び視点情報は、第１視点映像データ及び第２視点映像データの内部に記録されうる。一例として、第１視点映像データ及び第２視点映像データ内の所定領域に存在する８個のビットのうち上位４ビットを利用して対情報を記録し、下位４ビットを利用して視点情報を記録できる。
【０１２６】
段階Ｓ７３０では、付加情報が付加された第１視点映像データ及び第２視点映像データを出力する。
【０１２７】
図８は、本発明の一実施形態による映像データ・ディスプレイ方法に係わるフローチャートを示している。
【０１２８】
段階Ｓ８１０では、３Ｄ映像を再生するのに使われる第１視点映像データ及び第２視点映像データを受信する。第１視点映像データ及び第２視点映像データは、同じ２Ｄ映像データを変換して生成される。
【０１２９】
第１視点映像データ及び第２視点映像データには、付加情報が含まれうる。付加情報は、同じ２Ｄ映像データを変換して生成された３Ｄ映像データ間の関係を示す情報であり、対情報及び視点情報のうち少なくとも一つを含むことができる。
【０１３０】
対情報は、同じ２Ｄ映像データを変換して生成された第２視点映像データが第１視点映像データと１対であることを示す情報であり、視点情報は、第１視点映像データ及び第２視点映像データが、左視点映像データであるか、あるいは右視点映像データであるかを示す情報である。第１視点映像データが左視点映像データであるならば、第２視点映像データは、右視点映像データであり、第１視点映像データが右視点映像データであるならば、第２視点映像データは、左視点映像データである。
【０１３１】
段階Ｓ８２０では、第１視点映像データ及び第２視点映像データから、付加情報を獲得する。付加情報は、第１視点映像データ及び第２視点映像データのうち少なくとも一つに含まれて伝送されうるが、別途に伝送されもする。後者の場合、外部サーバまたは映像出力装置から付加情報を別途に受信せねばならない。
【０１３２】
段階Ｓ８３０では、付加情報に基づいて、第１視点映像データをディスプレイする。以下では、付加情報に対情報及び視点情報が含まれると仮定し、第１視点映像データをディスプレイする過程について詳細に説明する。
【０１３３】
まず、対情報及び視点情報に基づいて受信された第１視点映像データを保存する。このとき、第１視点映像データは、第１対の左視点映像が保存される第１バッファ、前記第１対の右視点映像が保存される第２バッファ、第２対の左視点映像が保存される第３バッファ及び前記第２対の右視点映像が保存される第４バッファのうち一つに保存されうる。
【０１３４】
バッファに第１視点映像データと第２視点映像データとがいずれも保存されれば、第１視点映像データと第２視点映像データとを順次にディスプレイする。このとき、第１視点映像データ及び第２視点映像データは、所定回数ほど反復してディスプレイされ、所定回数ほど反復してディスプレイされた後には、バッファから削除される。
【０１３５】
一方、前述の本発明の実施形態は、コンピュータで実行できるプログラムに作成可能であり、コンピュータで読み取り可能な記録媒体を利用し、前記プログラムを動作させる汎用デジタル・コンピュータで具現されうる。
【０１３６】
前記コンピュータで読み取り可能な記録媒体は、マグネチック記録媒体（例えば、ＲＯＭ（read-only  memory）、フロッピー（登録商標）ディスク、ハードディスクなど）、光学的判読媒体（例えば、ＣＤ−ＲＯＭ、ＤＶＤなど）及びキャリアウェーブ（例えば、インターネットを介した伝送）のような記録媒体を含む。
【０１３７】
以上、本発明についてその望ましい実施形態を中心に説明した。本発明が属する技術分野で当業者であるならば、本発明が本発明の本質的な特性から外れない範囲で変形された形態で具現されうることを理解することができるであろう。従って、開示された実施形態は、限定的な観点ではなくして、説明的な観点から考慮されねばならない。本発明の範囲は、前述の説明ではなくして特許請求の範囲に示されており、それと同等な範囲内にあるあらゆる差異点は、本発明に含まれたものであると解釈されねばならない。
【図１】
2011525743.tif 000003
【図２Ａ】
2011525743.tif 000004
【図２Ｂ】
2011525743.tif 000005
【図２Ｃ】
2011525743.tif 000006
【図３】
2011525743.tif 000007
【図４】
2011525743.tif 000008
【図５】
2011525743.tif 000009
【図６Ａ】
2011525743.tif 000010
【図６Ｂ】
2011525743.tif 000011
【図６Ｃ】
2011525743.tif 000012
【図７】
2011525743.tif 000013
【図８】
2011525743.tif 000014
【国際調査報告】
2011525743.tif 000015
2011525743.tif 000016